(57)【要約】【課題】テレビ用ＵＨＦアンテナを屋根上より低いところの軒先又は壁面及び柱などに取り付けることができる小型で軽量なテレビ用ＵＨＦアンテナを提供して地上デジタル放送の普及を促進する。【解決手段】反射器２を備えたＵ字状の樹脂製支持具１の上下に、上ループアンテナ３からなる地上デジタル放送受信電波帯の上ループアンテナ３と給電部５を設け、この上ループアンテナ３へ受信レベルの強弱を調整できる可動式下ループアンテナ４を設け、給電部５のテレビ受信電波を高周波同軸ケーブル８でテレビ受信機へ出力する。この結果、奥行きの狭い小型で軽量を実現できるため、テレビ用ＵＨＦアンテナを屋根上より低いところの軒先又は壁面及び柱などへの取り付けが可能になり、高く急勾配の屋根上のさらに高く長いアンテナマストに取り付けずに済む地上デジタル放送受信専用アンテナとなる。【選択図】図１
2011035885.tif 000002
【特許請求の範囲】
【請求項１】
地上デジタルテレビ放送受信電波帯の中心周波数の波長で、その波長の１／２波長の上下２本の間隔を１／４波長で構成した金属良導体の反射器２は２本を水平かつ平行に設けた縦型Ｕ字状樹脂製の絶縁支持具１の上部端末部９と下部端末部１０とで上ループアンテナ３をその上下で絶縁支持する。この上ループアンテナ３の縦の長辺は１／４波長の比率とし、横の短辺は１／６波長の比率とした縦型長方形の金属良導体で構成してその底辺に給電点５を有する。更に、給電点５の左右端子部を基軸６とする下ループアンテナ４をその基軸６へ設ける。この下ループアンテナ４の縦の短辺は１／１０波長の比率とし、横の長辺は１／６波長の比率とした横型長方形の金属良導体で構成する。この下ループアンテナ４は、基軸６を基点に振り子状に前方向に最大１７９度まで回転調整を可能とし、後ろ方向には最大９０度回転調整させてアンテナ設置場所の受信環境による直接波と反射波との関係による受信レベルの最良点を微調整することができるほか、同様にして、受信レベルの強すぎる受信環境下においては受信レベルを低下させる機能をも備える。給電部５の地上デジタルテレビ放送受信電波の出力はシュペルトップ整合方式を用いて７５オームに整合され７５オーム高周波同軸ケーブル８でテレビ受信機へ出力されることを構成した奥行きの狭い小型で軽量な地上デジタルテレビ放送受信アンテナ。
【発明の詳細な説明】
【技術分野】
【０００１】  本発明は、地上デジタルテレビ放送電波を受信するテレビ用ＵＨＦアンテナに関するものである。
【背景技術】
【０００２】  従来より、屋根上に設置する全長の長い八木式アンテナが広く使用されている。
【先行技術文献】
【非特許文献】
【０００３】  八木秀次と宇田新太郎が１９２６年に発明した八木アンテナ
【発明の概要】
【発明が解決しようとする課題】
【０００４】  ところが、前記の八木式アンテナでは、全長が長いため高く急勾配の屋根上の、更に、高くマストを立て、倒れないように四方に支線を張って設置する方法がほとんどであり、高所でアンテナ工事作業者の生命の危険を伴うと共に工事費が高額になる。【０００５】  そこで、本発明はアンテナの全長を短くなるように縦型長方形の上ループアンテナの底部に給電部設け、更に、振り子状に前後に可動する横型長方形の下ループアンテナを給電部の左右端部の基軸へ接続して上下二段のループアンテナを一体的に構成した。また、上下ループアンテナの後方に反射器を設けて指向性と受信レベルの向上を図り八木式アンテナと同等性能の受信レベルを確保した。これによりアンテナを高く急勾配の屋根上に立てなくて済むため、アンテナ工事の安全性と作業性が向上することを目的としている。
【課題を解決するための手段】
【０００６】  請求項１に記載の発明は、地上デジタルテレビ放送受信電波帯の中心周波数５００ＭＨＺとする波長で、その全長を１／２波長とする上下２本の反射器の間隔を１／４波長で構成した金属良導体の反射器２は２本を水平かつ平行に設けた縦型Ｕ字状樹脂製の絶縁支持具１の上部端末部９と下部端末部１０とで上ループアンテナ３の金属良導体上下を絶縁支持する。この上ループアンテナ３とする縦の長辺は１／４波長の比率とし、横の短辺は１／６波長の比率とした縦型長方形の金属良導体で構成してその底辺に給電点５を設ける。下ループアンテナ４は、この給電点５の左右端６を基軸とする受信レベルの強弱を調整可能とする振り子状に前後可動する。この下ループアンテナ４は横型長方形で縦の短辺は１／１０波長の比率とし、横の長辺は１／６波長の比率である。給電部５の地上デジタルテレビ放送受信電波の出力はシュペルトップ整合方式で７５オームに整合され７５オーム高周波同軸ケーブル８でテレビ受信機へ出力される。このように構成したことを要旨とする。従って、請求項１の発明によれば、奥行きが狭く小型で軽量を実現し、地上デジタルテレビ放送受信アンテナを屋根上より低いところの軒先又は壁面及び柱などに取り付けて鮮明なテレビ映像を得ることが可能となる。
【発明の効果】
【０００７】  請求項１の発明によれば、アンテナの奥行きが狭く小型で軽量になるため、地上デジタルテレビ放送受信アンテナを屋根上より低いところの軒先又は壁面及び柱などに取り付けて鮮明なテレビ映像を得ることが可能となり、アンテナを高く急勾配の屋根の上に立てなくて済むため、アンテナ工事の安全性と作業性が向上することができる。
【図面の簡単な説明】
【０００８】
【図１】  本発明の第１実施形態を示す斜視図。
【発明を実施するための形態】
【実施例】
【０００９】  以下、本発明を具体化した第１実施形態を図面に基づいて説明する。【００１０】  図１に示すように、地上デジタルテレビ放送受信電波帯の中心周波数５００ＭＨＺの波長で、その波長の１／２波長の上下２本の間隔を１／４波長で構成した金属良導体の反射器２は２本を水平かつ平行に設けた縦型Ｕ字状樹脂製の絶縁支持具１の上部端末部９と下部端末部１０とで上ループアンテナ３をその上下で絶縁支持する。この上ループアンテナ３の縦の長辺は１／４波長の比率とし、横の短辺は１／６波長の比率とした縦型長方形の金属良導体で構成してその底辺に給電点５を有する。更に、給電点５の左右端子部を基軸６とする下ループアンテナ４をその基軸６へ設ける。この下ループアンテナ４の縦の短辺は１／１０波長の比率とし、横の長辺は１／６波長の比率とした横型長方形の金属良導体で構成する。この下ループアンテナ４は、基軸６を基点に振り子状に前方向に最大１７９度まで回転調整を可能とし、後ろ方向には最大９０度回転調整させてアンテナ設置場所の受信環境による直接波と反射波との関係による受信レベルの最良点を微調整することができるほか、同様にして、受信レベルの強すぎる受信環境下においては受信レベルを低下させる機能をも備える。給電部５の地上デジタルテレビ放送受信電波の出力はシュペルトップ整合方式を用いて７５オームに整合され７５オーム高周波同軸ケーブル８でテレビ受信機へ出力される。なお、アンテナの取り付け位置１１は、縦型Ｕ字状樹脂製の絶縁支持具１の直線部分へサドル又はマスト取り付け用Ｕボルトを用いて取り付ける。
【符号の説明】
【００１１】１，  Ｕ字状樹脂製パイプ支持具１
２，  反射器
３，  上ループアンテナ
４，  下ループアンテナ
５，  給電部
６，  基軸
７，  シュペルトップ式整合部
８，  高周波同軸ケーブル
９，  Ｕ字状樹脂製パイプ支持具１の上部端末部
１０，Ｕ字状樹脂製パイプ支持具１の下部端末部
１１，アンテナ取り付け位置
【図１】
2011035885.tif 000003